(57)【要約】【課題】  床面を流れる漏水を堰き止めるとともに非常用水を貯水することができる、貯水型漏水堰止具を提供する。【解決手段】  床面１２に固定される床面固定部２と、この床面固定部２上に当該床面固定部２の長手方向に沿って所定の高さで立体的に形成された立ち上がり部３とを有しており、前記立ち上がり部３が非常用水を貯水可能な中空状に形成されており、その上面３２位置に開口されて開閉自在な蓋を備えている注水口４と、その側面３３下方位置に開口されて開閉自在な蓋を備えている給水口５とを有する。【選択図】  図１
2020007761.tif 000002
【特許請求の範囲】
【請求項１】
漏水の原因となる対象物周りの床面に設置されて前記床面を流れる漏水を堰き止める漏水堰止具であって、
前記床面に固定される床面固定部と、この床面固定部上に当該床面固定部の長手方向に沿って所定の高さで立体的に形成された立ち上がり部とを有しており、
前記立ち上がり部が非常用水を貯水可能な中空状に形成されており、その上面位置に開口されて開閉自在な蓋を備えている注水口と、その側面下方位置に開口されて開閉自在な蓋を備えている給水口とを有する、貯水型漏水堰止具。
【請求項２】
前記立ち上がり部の長手方向における一端部には、隣設される他の貯水型漏水堰止具の立ち上がり部を嵌合可能とするため、前記立ち上がり部の両側面に沿って突出形成された嵌合連結部を有する、請求項１に記載の貯水型漏水堰止具。
【請求項３】
前記給水口には、外周に雄ネジが形成されている前記蓋を螺合させる筒状の雌ネジ筒部が形成されているとともに、当該雌ネジ筒部の内側開口端には前記非常用水の漏れを防止する漏れ防止膜が張設されている、請求項１または請求項２に記載の貯水型漏水堰止具。
【発明の詳細な説明】
【技術分野】
【０００１】
本発明は、漏水を堰き止める漏水堰に関し、特にビルやマンション等の地下室の床面を流れる漏水を効果的に堰き止めるとともに緊急災害時の貯水としての機能も果たしうる貯水型漏水堰止具に関するものである。
【背景技術】
【０００２】
一般的な建物の地下室は、コンクリートを打設して形成されている。コンクリートは不透水性であり、このようなコンクリートによって形成された地下室内に地下水が漏水してくることは本来的にはない。しかし、実際には、コンクリートで形成された壁と床との接合部や壁同士の接合部を完全に隙間なく施工することは困難であり、当該隙間を通して漏水することがある。また、地震や地盤沈下により生じるクラック（亀裂）や経年による腐蝕により形成される隙間から漏水することもある。
【０００３】
このため、地下室のコンクリート壁周りの床面には、床面を流れる漏水を堰き止める立ち上がり部が形成されている。従来の立ち上がり部は、床面をコンクリートで打設する際に一緒に形成されている。しかし、このようなコンクリートの打設により立ち上がり部を形成する方法は、型枠の組み立てやその解体、仕上げのモルタル塗装等の手間と工事費用がかかる。また、建物の完成後に必要が生じて形成することは極めて困難である。
【０００４】
そこで、これまでに立ち上がり部についてコンクリート打設以外の形成方法に関する発明が提案されている。例えば、特開平９−２７９６１８号公報では、コンクリート壁周りの床面にプレキャストコンクリートにより製作された立ち上がり部を設置する発明が開示されている（特許文献１）。
【先行技術文献】
【特許文献】
【０００５】
【特許文献１】特開平９−２７９６１８号公報
【発明の概要】
【発明が解決しようとする課題】
【０００６】
しかしながら、特許文献１に記載された発明においては、プレキャストコンクリート製のため非常に重く、搬送および設置に係る負担が問題となっている。また、プレキャストコンクリートは衝撃に弱く端部が欠け易い。そのため立ち上がり部の端部同士を隣設させた際に隙間が生じて水が漏れるおそれがあるという問題もある。
【０００７】
ところで、地震等の災害により水道水の供給が停止することがある。特に、東日本大震災等の大規模な地震が発生すると、長期に渡り断水するため生活用水の確保が問題となる。そこで、近年では、非常用水の備蓄の重要性が高まっている。しかし、大都市圏をはじめとして非常用水の備蓄場所の確保が新たな問題となっている。
【０００８】
本発明は、以上のような問題点を解決するためになされたものであって、床面を流れる漏水を堰き止めるとともに非常用水を貯水することができる、貯水型漏水堰止具を提供することを目的としている。
【課題を解決するための手段】
【０００９】
本発明に係る貯水型漏水堰止具は、床面を流れる漏水を堰き止めるとともに非常用水を貯水するという課題を解決するために、漏水の原因となる対象物周りの床面に設置されて前記床面を流れる漏水を堰き止める漏水堰止具であって、前記床面に固定される床面固定部と、この床面固定部上に当該床面固定部の長手方向に沿って所定の高さで立体的に形成された立ち上がり部とを有しており、前記立ち上がり部が非常用水を貯水可能な中空状に形成されており、その上面位置に開口されて開閉自在な蓋を備えている注水口と、その側面下方位置に開口されて開閉自在な蓋を備えている給水口とを有する。
【００１０】
また、本発明の一態様として、隣設される他の貯水型漏水堰止具を隙間なく迅速に連結するという課題を解決するために、前記立ち上がり部の長手方向における一端部には、隣設される他の貯水型漏水堰止具の立ち上がり部を嵌合可能とするため、前記立ち上がり部の両側面に沿って突出形成された嵌合連結部を有していてもよい。
【００１１】
さらに、本発明の一態様として、貯留する非常用水の漏れを防止するとともに非常時には容易に給水するという課題を解決するために、前記給水口には、外周に雄ネジが形成されている前記蓋を螺合させる筒状の雌ネジ筒部が形成されているとともに、当該雌ネジ筒部の内側開口端には前記非常用水の漏れを防止する漏れ防止膜が張設されていてもよい。
【発明の効果】
【００１２】
本発明によれば、床面を流れる漏水を堰き止めるとともに非常用水を貯水することができる。
【図面の簡単な説明】
【００１３】
【図１】本発明に係る貯水型漏水堰止具の一実施形態を示す斜視図である。
【図２】立ち上がり部の側面下方位置の一部を凹溝状に形成しその底面を床面固定部とした他の実施形態を示す拡大斜視図である。
【図３】本実施形態の貯水型漏水堰止具における注水口および給水口を通過する切断面によって表される縦断面図である。
【図４】本実施形態における注水口および給水口に用いられる蓋を示す（ａ）平面図および（ｂ）縦断面図である。
【図５】本実施形態における注水口および給水口に用いられる蓋を締結するための専用工具の一例を示す斜視図である。
【図６】本実施形態における雌ネジ筒部を示す（ａ）平面図および（ｂ）縦断面図である。
【図７】雌ネジ筒部を立ち上がり部とともに一体的に形成した他の実施形態を示す一部拡大縦断面図である。
【図８】本実施形態における漏れ防止膜を先端が鋭利なもので破る際の状態を示す模式図である。
【図９】他の実施形態であって平面視で略Ｌ字形状に形成した貯水型漏水堰止具を示す斜視図である。
【図１０】他の実施形態であって縦断面形状が略三角形状の貯水型漏水堰止具を示す斜視図である。
【図１１】本実施形態の貯水型漏水堰止具を壁面に沿って並設させた状態を示す平面図である。
【図１２】本実施形態の貯水型漏水堰止具を壁面に沿って設置させた状態を示す縦断面図である。
【発明を実施するための形態】
【００１４】
以下、本発明に係る貯水型漏水堰止具の一実施形態について図面を用いて説明する。
【００１５】
本実施形態の貯水型漏水堰止具１は、漏水の原因となる対象物１１周りの床面１２に設置されて前記床面１２を流れる漏水を堰き止めるものであり、図１に示すように、床面１２に固定される床面固定部２と、この床面固定部２上に形成される立ち上がり部３とを有する。なお、漏水の原因となる対象物１１には、地下室の壁面の他、地下室の柱、制振ダンパ等を設置する免震基礎、屋上の貯水タンク等が例示される。
【００１６】
以下、本実施形態の貯水型漏水堰止具１における各構成について詳細に説明する。
【００１７】
床面固定部２は、床面１２に固定される部分であり、本実施形態では、図１に示すように、立ち上がり部３の下端幅よりも幅広のフランジ状に形成されている。また、前記立ち上がり部３の下端幅よりも幅方向に延出されている部分には、床面１２に締結固定するビスやボルトを挿通させるための複数のボルト穴２１が形成されている。
【００１８】
なお、床面固定部２は、立ち上がり部３の下端幅よりも幅広に形成されたものに限定されるものではなく、本発明に係る貯水型漏水堰止具１を床面１２に固定できる構造から適宜選択されるものである。例えば、図２に示すように、立ち上がり部３の下端近傍の側面３３の一部を凹溝状に形成し、その底面にボルト穴２１を形成した構造であってもよい。
【００１９】
立ち上がり部３は、床面１２を流れる漏水を堰き止めるとともに非常用水を貯水するものであり、床面固定部２上において立体的に形成されている。本実施形態における立ち上がり部３は、漏水を堰き止め可能な所定の高さでかつ所定の幅を有し、その形状が前記床面固定部２の長手方向に連続した直方体状に形成されている。両端面３４，３４は、閉口されており、その内部３１は、図３に示すように、貯水可能な中空状に形成されている。つまり、立ち上がり部３の内部３１には、水密状の空間が形成されている。この立ち上がり部３は、耐腐食性に優れ、かつ軽量に製造することのできる合成樹脂により形成されている。なお、立ち上がり部３の素材は合成樹脂に限定されるものではなく、例えば、アルミニウムやステンレス鋼、セラミックス等の水密性が確保可能であるとともに耐腐食性に優れた他の素材から適宜選択してもよい。
【００２０】
また、立ち上がり部３の上面３２位置には、中空状の内部３１に非常用水を注入するための注水口４が開口されている。さらに、立ち上がり部３の側面３３下方位置には、中空状の内部３１に貯水された前記非常用水を災害時等において外部に給水する給水口５が開口されている。
【００２１】
本実施形態における注水口４は、図１に示すように、立ち上がり部３の上面３２位置の２箇所に形成されている。これにより、一方から注水するときに他方を開放して空気の抜け道とすることで、スムーズに注水作業を行えるようにしている。
【００２２】
また、注水口４は、開閉自在な蓋７を備えており、本実施形態では、外周に雄ネジ７１が形成されている蓋７と、この雄ネジ状の蓋７を螺合させる筒状の雌ネジ筒部８とを有する。
【００２３】
本実施形態における蓋７は、図４に示すように、外周に雄ネジ７１が形成されその上端面の中央位置には、締結工具による回転力を伝達するリセス７２が形成されている。本実施形態におけるリセス７２は、横断面が正方形状になる正方凹溝として形成されており、図５に示すように、前記正方凹溝に嵌合可能な専用工具１０を用いて回転操作できるようになっている。これにより、プラス・マイナスドライバー等の一般的な工具による開閉作業を困難となり、悪戯等により蓋７が開けられるのを防止している。
【００２４】
なお、蓋７の上端面に形成されるリセス７２の形状は特に限定されるものではなく、プラス・マイナスドライバー等の一般的な工具に嵌合可能な形状でもよい。また、蓋７に回転力を伝達させるための構造は、上端面に形成されるリセス７２によるものに限定されるものではなく、図示しないが、例えばスパナやレンチ等に係合可能な六角形状の頭部を備えた構造等から適宜選択してもよい。
【００２５】
また、蓋７の上端側の外周面には、外側に延出されたフランジ状の蓋係止鍔７３が形成されている。この蓋係止鍔７３は、蓋７を雌ネジ筒部８に螺合させ際に前記雌ネジ筒部８に係止する。これにより、蓋７が雌ネジ筒部８に入りすぎるのを防止する。また、前記雌ネジ筒部８と面同士で密着させることで漏水を防止している。
【００２６】
雌ネジ筒部８は、外周に雄ネジ７１が形成された蓋７を螺合させるものであり、筒状に形成されるとともにその内周面には前記蓋７の雄ネジ７１に螺合可能な雌ネジ８１が形成されている。本実施形態の雌ネジ筒部８は、図６に示すように、一方の開口端部にその外周面より外側に延出されたフランジ状の筒固定鍔８２が形成されている。この雌ネジ筒部８は、注水口４の開口に嵌入されるとともに、立ち上がり部３の上面３２と前記筒固定鍔８２との間に隙間ができないように接着材を塗布して固定される。これにより、雌ネジ筒部８が注水口４となり、その雌ネジ８１に蓋７を螺合させることで閉鎖できるようになっている。
【００２７】
なお、本実施形態における雌ネジ筒部８は、立ち上がり部３と別体に形成した上で注水口４の位置に接着固定させているが、このような構成に限定されるものではなく、図７に示すように、立ち上がり部３の上面３２位置に予め一体的に形成してもよい。
【００２８】
給水口５は、災害時等において立ち上がり部３の内部３１に貯留されている非常用水を外部に給水するためのものであり、前記立ち上がり部３の側面３３下方位置であって、本実施形態では、当該立ち上がり部３の長手方向の端部近傍に開口されている。この給水口５は開閉自在な蓋７を備えており、本実施形態では注水口４と同様に、外周に雄ネジ７１が形成されている蓋７と、この蓋７を螺合させる筒状の雌ネジ筒部８とにより構成されている。
【００２９】
また、給水口５に設けられる雌ネジ筒部８には、その内側開口端８３に非常用水の漏れを防止する漏れ防止膜９が張設されている。この漏れ防止膜９は、合成樹脂製フィルム等からなる不透水性の薄膜によって形成されている。そして、非常用水を外部に給水する際には、図８に示すように、鋭利な先端を有するものにより破られるようになっている。
【００３０】
なお、給水口５は、災害時に非常用水を外部に取り出すための開口としての機能だけではなく、非常用水の入れ換え時等の排水にも用いることができる。また、給水口５は、端部近傍に開口されたものに限定されるものではなく、例えば、立ち上がり部３の長手方向の略中央位置に開口されていてもよい。
【００３１】
本実施形態における立ち上がり部３の長手方向における一端部には、図１に示すように、隣設される他の貯水型漏水堰止具１の立ち上がり部３に連結させるための嵌合連結部６を有する。この嵌合連結部６は、立ち上がり部３の両側面３３，３３に沿って突出形成されており、他の貯水型漏水堰止具１の立ち上がり部３を嵌合できるようになっている。本実施形態における嵌合連結部６は、縦長矩形状の板材をその縦半分程度が前記立ち上がり部３の端面３４から外側に突出するように付設することで構成されている。なお、嵌合連結部６の形状は図示のものに限られず、他の貯水型漏水堰止具１を密着させつつ嵌合できるものであれば適宜、選択してよい。
【００３２】
また、立ち上がり部３は、図１に示すような直線状のものに限定されるものではなく、設置する状況に応じて適宜形状を変えることができる。例えば、壁と壁とにより構成される角部や壁から突出した柱等に沿うように、図９に示すように、平面視においてＬ字形状であってもよい。また、立ち上がり部３は、図１に示すような直方体状のものに限定されるものではなく、所定の高さでかつ貯水可能な中空状に形成可能な立体形状から適宜選択することができ、例えば、図１０に示すように、縦断面略三角形状や縦断面略台形状となるような立体形状に形成してもよい。
【００３３】
次に、本実施形態の貯水型漏水堰止具１における各構成の作用について説明する。
【００３４】
まず、貯水型漏水堰止具１を漏水の原因となる対象物１１周りの床面１２に設置する。本実施形態では、コンクリート製の地下室の壁面１１に沿って、複数本の貯水型漏水堰止具１を隙間なく並べる。立ち上がり部３の内部３１は空洞であるため非常に軽く、搬送および設置が容易である。
【００３５】
複数本の貯水型漏水堰止具１を並べるとき、立ち上がり部３の一端部の嵌合連結部６を隣設される他の貯水型漏水堰止具１の立ち上がり部３に嵌め合わせる。これにより、長手方向と直交する方向のズレをなくすことができる。このとき向かい合う端面３４同士の間に、隙間ができないように漏水防止用の接着剤を塗布する。
【００３６】
また、図１１に示すように、壁面１１同士や壁面１１から突出された柱等の角部は、Ｌ字状の貯水型漏水堰止具１が用いられる。なお、貯水型漏水堰止具１によって長手方向の寸法が短く、隣設される貯水型漏水堰止具１同士の間に隙間ができそうな場合は、その隙間幅に相当する厚さを有するいわゆるスペーサーを挟持させてもよい。
【００３７】
壁面１１に沿って並べられた貯水型漏水堰止具１を床面１２に固定する。本実施形態では、床面１２と床面固定部２との間からの漏水を防止するため、その間に漏水防止用の接着剤を塗布する。そして、床面固定部２のボルト穴２１にビスまたはボルトを挿通させて床面１２に締結固定する。
【００３８】
次に、床面１２に固定された貯水型漏水堰止具１の注水口４から蓋７を取り外す。そして、その注水口４から非常用水を注入する。このとき注水する注水口４と異なる他方の注水口４の蓋７も一緒に開放しておくことで、そこが注水される非常用水により押し出される空気の抜け道となり、注水作業をスムーズに行うことができる。
【００３９】
注水作業が終了すると、注水口４の蓋７を閉じる。このように非常用水は立ち上がり部３内に貯留される。このとき給水口５に張設された漏れ防止膜９によって前記給水口５からの漏れが防止されているため、長期間、漏れなく非常用水を貯留し続けることができる。また、注水後の貯水型漏水堰止具１には、貯留されている非常用水の重さが加わるため、床面１２に対する設置圧が高まる。
【００４０】
コンクリートの壁面１１から漏れ出た地下水等による漏水は、床面１２を伝って流れる。しかし、漏水は貯水型漏水堰止具１によって堰き止められるため、そこを越えて流れることはない。本実施形態では、図１２に示すように、堰き止められた漏水が床面１２に設けられた排水口１３に集められそこから地下室外に排水される。
【００４１】
一方、災害の発生等により水道水の供給が停止することにより生活用水が不足した場合は、貯水型漏水堰止具１内の非常用水を用いる。具体的には、給水口５の蓋７を開放し、雌ネジ筒部８の内側開口端８３に張設された漏れ防止膜９を破ることで非常用水が前記給水口５から流れ出てくる。これにより、貯水型漏水堰止具１に貯留されている非常用水は外部に給水され、生活用水として利用できる。また、浄化装置等によって浄化することで飲料水としての利用も可能になる。
【００４２】
以上のような本実施形態の貯水型漏水堰止具１によれば、以下のような効果を奏することができる。
１．貯水型漏水堰止具１は中空状に形成されているため軽量であり、容易に搬送や設置をすることができる。
２．立体的に形成された立ち上がり部３内に非常用水を貯留させておくことができ、非常用水の備蓄場所の問題を解決することができる。
３．貯留された非常用水の重みによって床面１２に対する設置圧を高められるため、床面１２と隙間なく密着することができるため、漏水の堰き止め効果を高めることができる。
４．嵌合連結部６により隣設される他の貯水型漏水堰止具１とずれなく併設することができるため、漏水の堰き止め効果を高めることができる。
５．漏れ防止膜９により長期の貯水にも耐えうることができる。
【００４３】
なお、本発明に係る貯水型漏水堰止具は、前述した実施形態に限定されるものではなく、適宜変更することができる。例えば、注水口４や給水口５は、立ち上がり部３の形状や大きさに応じて、注水しやすい位置や数、給水しやすい位置や数に適宜変更してもよい。
【符号の説明】
【００４４】
１  貯水型漏水堰止具
２  床面固定部
３  立ち上がり部
４  注水口
５  給水口
６  嵌合連結部
７  蓋
８  雌ネジ筒部
９  漏れ防止膜
１０  専用工具
１１  対象物（壁面）
１２  床面
１３  排水口
２１  ボルト穴
３１  内部
３２  上面
３３  側面
３４  端面
７１  雄ネジ
７２  リセス
７３  蓋係止鍔
８１  雌ネジ
８２  筒固定鍔
８３  内側開口端
【図１】
2020007761.tif 000003
【図２】
2020007761.tif 000004
【図３】
2020007761.tif 000005
【図４】
2020007761.tif 000006
【図５】
2020007761.tif 000007
【図６】
2020007761.tif 000008
【図７】
2020007761.tif 000009
【図８】
2020007761.tif 000010
【図９】
2020007761.tif 000011
【図１０】
2020007761.tif 000012
【図１１】
2020007761.tif 000013
【図１２】
2020007761.tif 000014
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
漏水の原因となる対象物周りの床面に設置されて前記床面を流れる漏水を堰き止める漏水堰止具であって、
前記床面に固定される床面固定部と、この床面固定部上に当該床面固定部の長手方向に沿って所定の高さで立体的に形成された立ち上がり部とを有しており、
前記立ち上がり部が非常用水を貯水可能な中空状に形成されており、前記立ち上がり部の上面位置に開口されて開閉自在な蓋を備えている注水口と、前記立ち上がり部の側面下方位置に開口されて開閉自在な蓋を備えている給水口とを有する、貯水型漏水堰止具。
【請求項２】
前記立ち上がり部の長手方向における一端部には、隣設される他の貯水型漏水堰止具の立ち上がり部を嵌合可能とするため、前記立ち上がり部の両側面に沿って突出形成された嵌合連結部を有する、請求項１に記載の貯水型漏水堰止具。
【請求項３】
前記給水口には、外周に雄ネジが形成されている前記蓋を螺合させる筒状の雌ネジ筒部が形成されているとともに、当該雌ネジ筒部の内側開口端には前記非常用水の漏れを防止する漏れ防止膜が張設されている、請求項１または請求項２に記載の貯水型漏水堰止具。